(57)【要約】      （修正有）【課題】凹入部の水平基台部上に過って各種磁気カードを落としても、磁石の影響を直接受けることがないようにした解除具を提供する。【解決手段】商品出入用開口８を有するケース本体１の上壁を一部切除し、この切除部に、ストッパー片１０を備えた回動壁体１１を開閉可能に枢着し、ケース本体１側には切除部近傍所定位置に上向きに突出する複数の係止爪１３を設け、回動壁体１１には、複数のスライダ１４をスライド自在に組み込むと共に、スライダ１４に係止爪１３に接近する方向の押圧力を付与するバネ１５を設け、スライダ１４には、回動壁体１１を開放位置から閉鎖位置へと閉動するのに伴い係止爪１３に当接してスライダ１４を係止爪１３と離反する方向に押し逃がし且つその閉動終了に伴い離反方向の押し逃がしが解放されて係止爪１３と係合関係になるような係止部１６と、磁気吸引用の鉄片１７とを設ける。【選択図】図１５
2010047292.tif 000002
【特許請求の範囲】
【請求項１】
商品取出用開口を有するケース本体の所要部に一つ又は複数の係止爪を設け、前記開口に突入して商品をケース本体内にロックするストッパー片を備えた可動壁体に、複数のスライダを壁体長手方向にスライド自在に組み込むと共に、スライダに前記係止爪に接近する方向の押圧力を付与するバネを設け、スライダには、可動壁体を開放位置から閉鎖位置へと閉動するのに伴い係止爪に当接してスライダを係止爪と離反する方向に押し逃がし、その閉動終了に伴い前記離反方向の押し逃がしが解放されて係止爪と係合関係になるような係止部と、磁気吸引力を受けてスライダを前記バネの押圧力に抗して前記係止爪と離反する方向に移動させるための鉄片とを設けてなる盗難防止ケースにおけるストッパー片を前記開口から脱出させてロック解除する解除具であって、
水平基台部とこれの奥端部から垂直に立ち上がる垂直壁部と水平基台部の左右両側に位置する両側壁部との間に、盗難防止ケースを水平基台部の手前側から垂直壁部に向かって嵌入させるケース嵌入部を設け、垂直壁部には下端部位とそれより上方へ所定間隔置きに、盗難防止ケースの複数のスライダの鉄片外側に位置して鉄片を磁気吸引力により引き寄せる複数の永久磁石を設けてなる解除具。
【請求項２】
垂直壁部には２つの永久磁石が設けられ、この２つの永久磁石は、盗難防止ケースの可動壁体に設けられた２つの鉄片に対応するようになっている請求項１に記載の解除具。
【請求項３】
垂直壁部には３つの永久磁石が設けられ、この３つの永久磁石のうちの何れが２つが、盗難防止ケースの可動壁体に設けられた２つの鉄片に対応するようになっている請求項１に記載の解除具。
【請求項４】
垂直壁部には３つの永久磁石が設けられ、この３つの永久磁石は、盗難防止ケースの可動壁体に設けられた３つの鉄片に対応するようになっている請求項１に記載の解除具。
【発明の詳細な説明】
【技術分野】
【０００１】
本発明は、ＣＤカセットの音楽や映像を記録してあるディスクや、ビデオテープ、ゲームソフト、その他の商品（専用ケースに商品を収納してある）のレンタルシステム及び販売する商品やレンタル商品の盗難防止ケースを、商品とのロック状態から解除する解除具に関する。
【背景技術】
【０００２】
レンタルショップの陳列棚に上記のような商品を収納した収納ケースを並べておくと、顧客による収納ケースの開放が可能なため、レンタルショップ側の盗難防止ケースに収納ケースを嵌め込んで陳列することにより、顧客による収納ケースの開放ができなくなり、商品の盗難を防止することができる。
【０００３】
盗難防止ケースとして、下記特許文献１に記載されたようなものがある。この盗難防止ケースは、商品出入用開口を有するケース本体と、ケース本体の上壁に上面を開放させて設けたガイドと、ガイドの底面の上記開口側の直上に位置する辺縁に設けた長孔と、この長孔にストッパー片を貫通させてガイド内に昇降自在に嵌入した昇降体と、ストッパー片の両側縁突出方向端に設けた抜止め用の突起と、昇降体内に長孔に沿ってスライドするように組み込んだ左右一対のスライダと、両スライダに接近方向に押圧力を付与するバネと、ガイドの底からガイド方向に突出する係止爪と、両スライダに昇降体の押し込みにともない係止爪に当接して両スライダを離反方向に押し逃がし且つ昇降体の押し込み終了にともない前記離反方向の押し逃がしが解放されて係止爪と係合関係になるように設けた係止部と、両スライダに設けた鉄片からなるものである。
【０００４】
この盗難防止ケースによれば、ガイドの底に昇降体を押し込むことで、係止爪に係止部が当接して押圧力に抗して両スライダを押し逃がし、係止部が係止爪を通過し終わると、押し逃がしの解除された両スライダを押し戻しながら、係止爪と係止部とが係合関係になり、昇降体と一体のストッパー片により開口の一部を閉鎖し、ケース本体内の商品の抜き取りを阻止することができる。
【０００５】
そして、この盗難防止ケースをロック解除する解除具は、水平基台部と、この水平基台部の一端側に垂直に立ち上がる位置決め壁を有し、複数の並列する前記盗難防止ケースを上方から嵌入するように設けた凹入部と、この凹入部の底面に位置する水平基台部の両端側で盗難防止ケースの両スライダの鉄片外側に位置して両鉄片を磁気吸引力により引き寄せるように設けた２つの永久磁石とからなる。
【特許文献１】特開２００７−３１４２０１号公報
【発明の開示】
【発明が解決しようとする課題】
【０００６】
解除具は、レンタルショップ等のカウンターに設置し、顧客が持参してケースを凹入部に嵌入して商品のロックを解除するが、このロック解除の後、顧客が料金を支払いをするのにクレジットカード等の磁気カードを使用することがあり、そのカードの受け渡しをする際に、カードを解除具の凹入部内に誤って落とすことが考えられる。然るに、上述した従来の解除具では、水平基台部側に永久磁石が埋設されているため、凹入部の底面側である水平基台部上に、クレジットカード、キャッシュカード等の各種磁気カードを過って落とした場合、磁石の影響をまともに受けて、情報が消失するという危険性がある。
【０００７】
本発明は、上記のような事情に鑑み、凹入部の水平基台部上に過って各種磁気カードを落としても、磁石の影響を直接受けることがないようにした解除具を提供することを目的とする。
【課題を解決するための手段】
【０００８】
上記課題を解決するための手段を、後述する実施形態の参照符号を付して説明すると、請求項１に係る発明の解除具は、商品取出用開口８を有するケース本体１の所要部に一つ又は複数の係止爪１３，１３′を設け、前記開口８に突入して商品Ｂをケース本体１内にロックするストッパー片１０を備えた可動壁体１１に、複数のスライダ１４を壁体長手方向にスライド自在に組み込むと共に、スライダ１４に前記係止爪１３，１３′に接近する方向の押圧力を付与するバネ１５を設け、スライダ１４には、可動壁体１１を開放位置から閉鎖位置へと閉動するのに伴い係止爪１３，１３′に当接してスライダ１４を係止爪１３，１３′と離反する方向に押し逃がし、その閉動終了に伴い前記離反方向の押し逃がしが解放されて係止爪１３，１３′と係合関係になるような係止部１６と、磁気吸引力を受けてスライダ１４を前記バネ１５の押圧力に抗して前記係止爪１３，１３′と離反する方向に移動させるための鉄片１７とを設けてなる盗難防止ケースＡ，Ａ′におけるストッパー片１０を前記開口８から脱出させてロック解除する解除具Ｃ，Ｃ′であって、
水平基台部２６とこれの奥端部から垂直に立ち上がる垂直壁部２７と水平基台部２６の左右両側に位置する両側壁部２８，２８との間に、盗難防止ケースＡ，Ａ′を水平基台部２６の手前側から垂直壁部２７に向かって嵌入させるケース嵌入部２９を設け、垂直壁部２７には下端部位とそれより上方へ所定間隔置きに、盗難防止ケースＡ，Ａ′の複数のスライダ１４の鉄片１７外側に位置して鉄片１７を磁気吸引力により引き寄せる複数の永久磁石３１，３２，３３を設けてなることを特徴とする。
【０００９】
なお、上記可動壁体は、後述する実施形態の回動壁体１１のことであるが、この実施形態の回動壁体１１に限るものではなく、前述した特開２００７−３１４２０１号公報に記載されているような従来の盗難防止ケースの昇降体も含むものとする。
【００１０】
請求項２は、請求項１に記載の解除具において、垂直壁部２７には２つの永久磁石３１，３２が設けられ、この２つの永久磁石３１，３２は、盗難防止ケースＡの可動壁体１１に設けられた２つ鉄片１７，１７に対応するようになっていることを特徴とする。
【００１１】
請求項３は、請求項１に記載の解除具において、垂直壁部２７には３つの永久磁石３１，３２，３３が設けられ、この３つの永久磁石３１，３２，３３のうちの何れが２つが、盗難防止ケースＡの可動壁体１１に設けられた２つの鉄片１７，１７に対応するようになっていることを特徴とする。
【００１２】
請求項４は、請求項１に記載の解除具において、垂直壁部２７には３つの永久磁石３１，３２，３３が設けられ、この３つの永久磁石３１，３２，３３は、盗難防止ケースＡ′の可動壁体１１に設けられた３つの鉄片１７，１７，１７に対応するようになっていることを特徴とする。
【発明の効果】
【００１３】
上記解決手段による発明の効果を、後述する実施形態の参照符号を付して説明すると、請求項１に係る発明の解除具によれば、ケース嵌入部２９に、ケースＡ，Ａ′を可動壁体１１を先端側にして水平基台部２６の手前側から嵌入し、可動壁体１１側を垂直壁部２７に当接させると、永久磁石３１，３２，３２の磁気吸引力によって、可動壁体１１にあるスライダ１４の鉄片１７を吸引して係止爪１３，１３′と係止片１６との係合関係を解除し、この状態からケースＡ，Ａ′を手前側へ引っ張ることで、ストッパー片１０がケース本体１の開口８から退出して、開口８の一部閉鎖が解除される。
【００１４】
特に、この解除具では、永久磁石３１，３２，３３は、水平基台部２６ではなく、この水平基台部２６の奥端部から垂直に立ち上がった垂直壁部２７に設けてあるため、解除具の操作中などに、水平基台部２６上に、過って、クレジットカードやキャッシュカード等の各種磁気カードを落としても、垂直壁部２７側の永久磁石３１，３２，３３の影響を直接受けることがない。因みに、従来の解除具では、水平基台部側に永久磁石が埋設してあるから、水平基台部上に上記のようなカードを落とすと、磁石の影響をまともに受けて、カードを台無しにする。
【００１５】
請求項２によれば、垂直壁部２７に２つの永久磁石３１，３２が設けてあるから、この２つの永久磁石３１，３２は、盗難防止ケースＡの可動壁体１１に設けられた２つの鉄片１７，１７に対応させて使用することができる。
【００１６】
請求項３によれば、垂直壁部２７に３つの永久磁石３１，３２，３３が設けてあるから、この３つの永久磁石３１，３２，３３のうちの何れが２つを、盗難防止ケースＡ′の可動壁体１１に設けられた２つの鉄片１７，１７に対応させて使用することができる。
【００１７】
請求項４によれば、垂直壁部２７に３つの永久磁石３１，３２，３３が設けてあるから、この３つの永久磁石３１，３２，３３を、盗難防止ケースＡ′の可動壁体１１に設けられた３つの鉄片１７，１７，１７に対応させて使用することができる。
【発明を実施するための最良の形態】
【００１８】
以下に本発明の好適な一実施形態を図面に基づいて説明すると、図１は本発明に係る盗難防止ケースを正面側から見た斜視図、図２の(a) 〜(c) は同盗難防止ケースＡの回動壁体が開閉する状態を示す部分正面図であり、図３の(a) は同盗難防止ケースＡの一部縦断面正面図、(b) は(a) の一部拡大図であり、図４の(a) はケース本体の正面図、(b) は平面図であり、図５の(a) は図４の(b) のＸ−Ｘ線断面図、(b) は図４の(b) のＹ−Ｙ線断面図、(c) は図４の(b) のＺ−Ｚ線断面図である。これらの図において、Ａは本発明に係る盗難防止ケースで、このケースＡ内に商品Ｂが収納される。この商品Ｂとしては、例えば収納ケースにディスクを収納したものとする。
【００１９】
盗難防止ケースＡは合成樹脂で一体形成されたケース本体１を有する。このケース本体１は、前面壁２と背面壁３と上下壁４，５と左右壁６，７とからなるもので、前面壁２には商品Ｂの丈よりも短い商品出入用開口８が設けられ、この開口８より商品の出し入れを行うようになっている。この開口８の丈を商品Ｂの丈よりも短くするのは、開口８の下縁８ｂからケース本体１内に商品Ｂの下縁側を先行させて嵌め込んだ後、商品Ｂの上縁を開口８の上縁８ａの下側を通過させることによって商品Ｂをケース本体１内に嵌め込むが、その際、開口８の下縁８ｂの内側に商品Ｂの下縁部が納まって、開口８に対する商品Ｂのすべり出しを阻止するためである（図１及び図３の(a) 参照）。
【００２０】
ケース本体１は、図４及び図５から分かるように、上壁４の一部が切除され、その切除部９には、ストッパー片１０を備えた回動壁体１１の一端部が、前記切除部９を閉じてストッパー片１０が商品出入用開口８に突入する閉鎖位置（図２の(a) 参照）と、前記切除部９を開放してストッパー片１０が前記開口８から退出する開放位置（図２の(c) 参照）とにわたって開閉可能に枢軸１２により枢着されている。なお、実施形態では、切除部９は、上壁４の一部だけでなく、商品出入用開口８の上端部に一部形成されている前面壁２の一部も切除されており、従って切除部９は上壁４の切除部分と前面壁２上端部の切除部分とを含む。回動壁体１１も合成樹脂で一体形成されたものである。また、ケース本体１の背面壁３には貫窓３０が設けてある。
【００２１】
また図４及び図５に示すように、ケース本体１側には前記切除部９の近傍所定位置に、ケース本体１と一体に形成された上向きに突出する山形の係止爪１３が設けられている。この実施形態の山形係止爪１３は、一対の山形テーパ面部１３ａ，１３ａを有する。
【００２２】
上記切除部９に枢着された回動壁体１１には、図３の(a) 及び(b) に概略示すように、一対のスライダ１４，１４が壁体長手方向に一定範囲スライド自在に組み込まれると共に、各スライダ１４にケース本体１側の係止爪１３に接近する方向の押圧力を付与するためのコイルバネ１５が回動壁体１１との間に介装され、また各スライダ１４には、回動壁体１１を開放位置から閉鎖位置へと閉動するのに伴い係止爪１３に当接してスライダ１４を係止爪１３と離反する方向に押し逃がし且つ回動壁体１１の閉動終了に伴い係止爪１３の山形テーパ面部から外れて前記離反方向の押し逃がしが解放されて係止爪１３と夫々係合関係になるような係止部１６と、磁気吸引用の鉄片１７とが設けられている。
【００２３】
上記鉄片１７は、後述する解除具Ｃに設けられた永久磁石３１，３２の磁気吸引力を受けて、両スライダ１４，１４をコイルバネ１５，１５の押圧力に抗して係止爪１３と離反する方向に強制スライドさせるための強磁性体である。
【００２４】
上記スライダ１４、バネ１５及び鉄片１７の取付構造について図６及び図７により詳しく説明すると、先ず、図６は回動壁体１１を示すもので、(a) は正面図、(b) は平面図、(c) は底面図、(d) は左側面図、(e) は右側面図、(f) は(b) のＶ−Ｖ線断面図、(g) は背面図である。これらの図から、回動壁体１１は、閉鎖位置でケース本体１の上壁４と面一を成す天板部１１ａ及び閉鎖位置でケース本体１の前面壁２と面一を成す外板部１１ｂを有し、この外板部１１ｂの下部にストッパー片１０が一体に形成されている。
【００２５】
そして、天板部１１ａの下面側には下向きに突出する一対の側板１１ｃ，１１ｄが外板部１１ｂと平行に設けられ（図６の(c) 参照）、両側板１１ｃ，１１ｄには、前記一対のスライダ１４，１４を壁体長手方向に夫々一定範囲スライドさせるためのスリット１８，１９が左右両側対称位置に形成され、また天板部１１ａの下面側にはスリット１８，１９の設けられた領域の両端側にバネ係止用突片２０，２０が下向きに突設されている。また回動壁体１１の一端部には枢軸挿入孔２１が設けてある。
【００２６】
図７はスライダ１４を示したもので、(a) は左右一対のスライダ１４，１４を左右対称位置に並べた状態で示す拡大正面図、(b) は同一対のスライダ１４，１４の拡大平面図、(c) はスライダ１４の拡大側面図である。各スライダ１４は、合成樹脂で一体形成されたもので、先端部に正面視三角形の係止片１６を有すると共に、先端部両側面と中間部両側面の夫々上端部には、回動壁体１１の両側板１１ｃ，１１ｄに設けられているガイド用スリット１８，１９に係合して各スライダ１４を壁体長手方向にスライド案内する係合突起２２，２３が突設されている。
【００２７】
図８の(a) は回動壁体１１と、これに取り付けるスライダ１４、バネ１５及び鉄片１７の配置関係を示す説明図、(b) はそれらを回動壁体１１に取り付け状態の説明図である。取付けにあたっては、先ず、各スライダ１４内の底部側にコイルバネ１５を収納し、その上側の先端側寄りに鉄片１７を(a) の仮想線図示のように収納しておき、しかして左右両スライダ１４，１４を回動壁体１１内にその下方より挿入して、各スライダ１４の係合突起２２，２３を図６に示す回動壁体１１の両側板１１ｃ，１１ｄに設けてあるガイド用スリット１８，１９に係合させると共に、各コイルバネ１５は、(b) に示すように、一端側を回動壁体１１側のバネ係止用突片２０に係止させ、他端側をスライダ１４の内壁部ｎに係止させるようにする。
【００２８】
図８の(b) に示す取付状態において、各スライダ１４は、その係合突起２２，２３が回動壁体１１側のガイド用スリット１８，１９に係合して案内されることにより、一定範囲スライド自在であって、常時は、回動壁体１１側のバネ係止用突片２０とスライダ１４の内壁部ｎとの間に介装したコイルバネ１５の付勢力によって、左右両スライダ１４，１４の係止片１６，１６が図示のように接近する状態に保持されている。
【００２９】
なお、この実施形態では、ケース本体１側に、一対のテーパ面部１３ａ，１３ａを有する山形の係止爪１３を一つ設け、そして回動壁体１１には、山形係止爪１３を挟んでその両側に一対のスライダ１４，１４を設けると共に、両スライダ１４，１４を夫々バネ１５によって係止爪１３に両側から接近する方向に押圧するようにしているが、山形の係止爪１３に代えて、一つのテーパ面部を有する片流れ形状の係止爪を所要間隔をおいて左右一対設け、各片流れ係止爪ごとにスライダをバネによって接近させるようにしてもよい。
【００３０】
図９は、盗難防止ケースＡのロック状態にあるストッパー片１０をロック解除するための解除具Ｃを示す外観斜視図である。この解除具Ｃは解除具本体２５を有する。この解除具本体２５は、水平基台部２６と、この水平基台部２６の奥端部から垂直に立ち上がる垂直壁部２７と、水平基台部２６の左右両側に位置する両側壁部２８，２８との間に、複数の並列する盗難防止ケースＡを水平基台部の手前側から垂直壁部２７に向かって嵌入するようなケース嵌入部２９を設け、そして垂直壁部２７には下端部位とそれより上方へ所定間隔をおいた位置との２ヶ所に、盗難防止ケースＡに設けてある２つのスライダ１４，１４の鉄片１７，１７の夫々の端部側の外側に位置して、両鉄片１７，１７を夫々磁気吸引力により引き寄せる永久磁石３１，３２を埋設したものである。
【００３１】
上述した本発明の盗難防止ケースＡの作用について説明すると、回動壁体１１が図２の(c) に示すような開放位置にある時、ストッパー片１０はケース本体１の商品出入用開口８から退出し、切除部９を開放した状態にあり、またこの時、回動壁体１１内にある一対のスライダ１４，１４は、図７の(b) に示すように、鉄片１７，１７と共に、コイルバネ１５，１５によって互いに接近する方向に引き寄せられた状態にある。
【００３２】
しかして、回動壁体１１が図２の(c) に示すような開放位置にある状態で商品Ｂを開口８からケース本体１内に嵌め込んだ後、回動壁体１１を枢軸１２を中心に下向きに回動させると、上壁４の切除部９を閉じながらストッパー片１０が開口８に突入するのに伴い、左右両スライダ１４，１４の係止片１６，１６がケース本体１側の係止爪１３のテーパ面部１３ａ，１３ａに当接して、テーパ面部１３ａの楔作用により、両スライダ１４，１４をコイルバネ１５，１５の付勢力に抗して互いに離反方向に押し逃がし、係止片１６，１６が係止爪１３を通過し終わると、コイルバネ１５，１５の押圧力により両スライダ１４，１４が互いに接近する方向にスライドして、図３の(b) に示すように係止爪１３と両係止片１６，１６とが係合関係になり、それにより回動壁体１１はストッパー片１０が開口８に突入した閉鎖位置に保持され、盗難防止ケースＡのケース本体１がロックされる。
【００３３】
上記のように回動壁体１１が閉鎖位置に位置してストッパー片１０により商品出入用開口８の一部を閉鎖するので、ケース本体１からの商品Ｂの抜き取りが阻止され、盗難防止を図ることができる。なお、ショップからのケースＡの持ち出しは、周知のように、ケースＡに設けられる盗難防止タグ（図示省略）によって検出されるようになっている。
【００３４】
次に、商品Ｂの販売やレンタルのためにショップ側で商品Ｂを盗難防止ケースＡから取り出す場合は、解除具Ｃのケース嵌入部２９に、単数並列する複数のケースＡを、図９，図１０に示すように回動壁体１１を先端側にして水平基台部２６の手前側から嵌入し、回動壁体１１側を解除具Ｃの垂直壁部２７に当接させる。そうすると、垂直壁部２７に埋設してある永久磁石３１，３２の磁気吸引力によって、回動壁体１１にある両スライダ１４，１４の２つの鉄片１７，１７を夫々吸引し、両スライダ１４，１４を互いに離反する方向にスライドさせて、図１１に示すように係止爪１３と係止片１６，１６との係合関係を解除する。
【００３５】
この状態から、図１２に示すようにケース本体１を手前側へ引っ張ると、垂直壁部２７側の永久磁石３１，３２によって回動壁体１１側の鉄片１７，１７を吸引しているので、回動壁体１１の先端部側が垂直壁部２７側に止まった状態となり、しかして回動壁体１１は枢軸１２を中心に遊端部側がケース本体１の切除部９を開放するように回動して、ストッパー片１０がケース本体１の商品出入用開口８から退出し、それにより開口８の一部閉鎖が解除される。従って、ケースＡを解除具Ｃから抜き去った後、ショップ側でケース本体１から商品Ｂを取り出すことができる。
【００３６】
以上説明した実施形態では、解除具Ｃの垂直壁部２７には、下端部位とそれより上方へ所定間隔をおいた部位との２ヶ所に永久磁石を設けたが、盗難防止ケースＡの回動壁体１１側にスライダ１４が２つ以上設けられる場合も考えられることから、各スライダ１４毎に取り付けられる鉄片１７に対応して、垂直壁部２７に２つ以上、例えば３つの永久磁石を、その下端部位から上方へ所定間隔置きに設けることができる。
【００３７】
図１３は垂直壁部２７の下端部位と上端部位とその中間部位との３ヶ所に永久磁石３１，３２、３３を埋設した解除具Ｃ′を示す。この解除具Ｃ′は、垂直壁部２７に３つの永久磁石３１，３２、３３が設けてある以外は、図９に示す解除具Ｃと同様の構造である。図１４には、解除具Ｃ′によってロック解除されている盗難防止ケースＡ′を示す。この解除具Ｃ′の垂直壁部２７にある３つの永久磁石は、盗難防止ケースＡ′の回動壁体１１に設けられた３つの鉄片１７，１７，１７に対応するようになっている
【００３８】
上記盗難防止ケースＡ′のケース本体１には、図１５〜図１７から分かるように、一対のテーパ面１３ａ，１３ａを有する一つの山形係止爪１３と、１つのテーパ面１３ａ′を有する１つの片流れ形係止爪１３′とが設けられ、回動壁体１１には、山形係止爪１３に対し接近離反する一対のスライダ１４，１４と、片流れ形係止爪１３′に対し接近離反する一つのスライダ１４との３つのスライダ１４，１４，１４が設けられ、各スライダ１４とケース本体１との間にはスライダ１４を係止爪１３′に接近方向の押圧力を付与するコイルバネ１５が設けられ、また各スライダ１４には係止部１６及び鉄片１７が設けられている。この盗難防止ケースＡ′の作用は、前記盗難防止ケースＡと同様である。図１５〜図１７において、４０は永久磁石３１，３２，３３の夫々の取付台座である。
【００３９】
上記解除具Ｃ′の使用にあたり、ケース嵌入部２９に複数のケースＡ′を回動壁体１１を先端側にして水平基台部２６の手前側から嵌入し、回動壁体１１側を解除具Ｃ′の垂直壁部２７に当接させると、垂直壁部２７に設けられた永久磁石３１，３２，３３の夫々の磁気吸引力によって、回動壁体１１にある３つのスライダ１４，１４，１４の３つの鉄片１７，１７，１７を夫々吸引し、それらのスライダ１４，１４，１４を山形係止爪１３及び片流れ形係止爪１３′に対し離反する方向にスライドさせて、係止爪１３，１３′と係止片１６，１６、１６との係合関係を解除する（図１６参照）。
【００４０】
この状態では、垂直壁部２７の永久磁石３１，３２，３３によって回動壁体１１の鉄片１７，１７が垂直壁部２７に吸引されているので、図１７に示すようにケースＡ′のケース本体１を手前側へ引っ張ると、回動壁体１１は垂直壁部２７側に止まった状態となり、従って回動壁体１１を除くケース本体１が、図１７に示すように枢軸１２を中心として、回動壁体１１の遊端部から離れるように回動して、ストッパー片１０がケース本体１の商品出入用開口８から退出し、それにより開口８の一部閉鎖が解除される。従って、ケースＡ′を解除具Ｃ′から抜き去った後、ショップ側でケース本体１から商品Ｂを取り出すことができる。
【００４１】
以上説明した本発明に係る解除具Ｃ，Ｃ′は、図１〜図１２に示す盗難防止ケースＡ及び図１４〜図１７に示す盗難防止ケースＡ′をロック解除する場合について説明したが、これら本発明に係る解除具Ｃ，Ｃ′は、前述した特開２００７−３１４２０１号公報に記載されているような従来タイプの盗難防止ケースについても適用可能である。
【図面の簡単な説明】
【００４２】
【図１】本発明に係る盗難防止ケースを正面側から見た斜視図である。
【図２】(a) 〜(c) は同盗難防止ケースの回動壁体が開閉する状態を示す部分正面図である。
【図３】(a) は同盗難防止ケースＡの一部縦断面正面図、(b) は(a) の一部拡大図である。
【図４】(a) はケース本体の正面図、(b) は平面図である。
【図５】(a) は図４の(b) のＸ−Ｘ線断面図、(b) は図４の(b) のＹ−Ｙ線断面図、(c) は図４の(b) のＺ−Ｚ線断面図である。
【図６】(a) は正面図、(b) は平面図、(c) は底面図、(d) は左側面図、(e) は右側面図、(f) は(b) のＶ−Ｖ線断面図、(g) は背面図である。
【図７】スライダを示すもので、(a) は左右一対のスライダを左右対称位置に並べた状態で示す拡大正面図、(b) は同一対のスライダの拡大平面図、(c) はスライダの拡大側面図である。
【図８】(a) は回動壁体と、これに取り付けるスライダ、バネ及び鉄片の配置関係を示す説明図、(b) はそれらを回動壁体に取り付け状態の説明図である。
【図９】解除具を外観斜視図である。
【図１０】解除具の使用状態を示す縦断面図である。
【図１１】解除具の使用状態を示す一部拡大縦断面図である。
【図１２】解除具の使用状態を示す一部拡大縦断面図である。
【図１３】垂直壁部の３ヶ所に永久磁石を設けた解除具の斜視図である。
【図１４】図１３に示す解除具によってケースをロック解除している状態の斜視図である。
【図１５】図１４のロック解除の詳細を説明する拡大図である。
【図１６】同じくロック解除の詳細を説明する拡大図である。
【図１７】同じくロック解除の詳細を説明する拡大図である。
【符号の説明】
【００４３】
Ａ，Ａ′            盗難防止ケース
Ｂ                  商品
Ｃ，Ｃ′            解除具
１                  ケース本体
４                  ケース本体の上壁
８                  商品出入用開口
９                  切除部
１０                ストッパー片
１１                回動壁体
１３                山形係止爪
１３′              片流れ形係止爪
１４                スライダ
１５                バネ
１６                係止部
１７                鉄片
２６                水平基台部
２７                垂直壁部
３１，３２，３３    永久磁石
【図１】
2010047292.tif 000003
【図２】
2010047292.tif 000004
【図３】
2010047292.tif 000005
【図４】
2010047292.tif 000006
【図５】
2010047292.tif 000007
【図６】
2010047292.tif 000008
【図７】
2010047292.tif 000009
【図８】
2010047292.tif 000010
【図９】
2010047292.tif 000011
【図１０】
2010047292.tif 000012
【図１１】
2010047292.tif 000013
【図１２】
2010047292.tif 000014
【図１３】
2010047292.tif 000015
【図１４】
2010047292.tif 000016
【図１５】
2010047292.tif 000017
【図１６】
2010047292.tif 000018
【図１７】
2010047292.tif 000019